(57)【要約】【課題】遊技盤の交換作業が簡単で、かつ確実な静電気除去対策を図る。【解決手段】セット保持枠１２の側壁面１２ｂに保持具１５が配設される。保持具１５は、側壁面１２ｂに固定される固定部材２２と、固定部材２２に軸支される保持部材２３からなる。固定部材２２は、セット保持枠１２の外側面に位置して電源基板に電気的に接続する金属補強板３０に、ビス２４を介して電気的に接続される。保持部材２３は、第１規制面２５と第２規制面２６を備え、遊技盤Ｃの側端部が第２規制面２６とセット保持枠１２の遊技盤支持面１２ａとで挟持され、第１規制面２５が遊技盤Ｃに配設した導電板２１の第２面部２１ｂに接触する。導電板２１は、遊技盤Ｃに配設した遊技部材に電気的に接続される。遊技盤Ｃで発生した静電気は、導電板２１、保持具１５および金属補強板３０を介して電源基板に逃げる。【選択図】図１
2005080701.tif 000002
【特許請求の範囲】
【請求項１】
遊技盤保持枠に形成した収容部に対して遊技盤を着脱自在にセット可能とした遊技機において、
前記遊技盤の外面所定位置に配設され、該遊技盤に配設された各種遊技部材と電気的に接続する導電板と、
前記収容部に設けられ、該収容部に収容された遊技盤を保持すると共に、前記導電板に面接触する導電性を有する保持面を備えた保持手段と、
前記保持面を導電板に対する接触方向へ向けて付勢する付勢手段とからなり、
前記保持面はアース部に電気的に接続されている
ことを特徴とする遊技機。
【請求項２】
前記保持手段は、前記遊技盤保持枠の収容部に回動自在にヒンジ接続された保持部材に前記保持面が設けられ、該保持部材は、前記付勢手段により前記保持面が遊技盤の導電板に接触する方向に向けて回動付勢されるようになっている請求項１記載の遊技機。
【請求項３】
前記保持手段は、前記遊技盤保持枠における収容部の内側面に配設されて、前記保持面と電気的に接続される固定部材を備え、該固定部材の配設位置に対応する遊技盤保持枠の外側面に、前記アース部に電気的に接続する導電部材を配設し、前記遊技盤保持枠を挟む固定部材と導電部材とを、導電性を有する連結具により電気的に接続するよう連結固定した請求項１または２記載の遊技機。
【発明の詳細な説明】
【技術分野】
【０００１】
この発明は、遊技機に関し、更に詳しくは、遊技盤保持枠に着脱自在に配設される遊技盤に発生する静電気を、該保持枠を介してアース部に放電除去し得るようにした遊技機に関するものである。
【背景技術】
【０００２】
金属製の遊技球を用いる遊技機では、遊技球が機裏側の球通路や遊技盤の遊技領域等を移動する際に、遊技球同士の接触や各種構成部材との接触により、該遊技球あるいは構成部材に高い電位の静電気が帯電することがある。この場合に、遊技球と構成部材との接触により帯電していた静電気が電子機器の近くで放電すると、ノイズとなって電子機器が誤動作したり、故障したりするおそれがあった。そこで、このような事態を防止するため、遊技球が接触する可能性のある各種構成部材を、遊技機に設けられたアース部に電気的に接続することによって、好適に静電気をアース部へ放電する対策が採られている。
【０００３】
ここで、遊技盤保持枠に着脱交換可能に配設される遊技盤には、案内レールや入賞装置等、遊技球と接触する部材が多数設けられており、これら各種遊技部材についても、前述したと同様の静電気除去対策を施す必要がある。そこで、遊技盤と遊技盤保持枠とをアース線で接続し、該保持枠を介して前記アース部に遊技盤を電気的に接続させることが考えられる。しかるに、遊技盤保持枠に対して遊技盤を着脱交換する場合は、その都度アース線の着脱作業が必要となり、交換作業が煩わしいものとなったり、あるいはアース線が断線するおそれもあり、実用的な方法とは言い難かった。
【０００４】
そこで、前記遊技盤を、所要のデザインを印刷形成した装飾用シートと基材との間にシート状導電材(カーボン紙)を挟んだ積層構造として、遊技盤の前面に配設された案内レールや入賞装置等の各種遊技部材をシート状導電材に電気的に接続すると共に、該シート状導電材に電気的に接続する金属板を遊技盤の後面に配設する。また、遊技盤が収容セットされる収容部が形成された遊技盤保持枠に、遊技盤の後面と平行な面上をスライド(回動)する金属片を備えた遊技盤係止具を配設し、遊技盤を収容部に後側から収容セットした状態で、前記金属片をスライドして遊技盤の後面における前記金属板に接触させることで、当該遊技盤の固定保持を行なうと共に遊技盤保持枠との導通を図り、遊技盤に帯電した静電気を遊技盤保持枠を介してアース部へ放電し得るようにしたものが提案されている(例えば、特許文献１参照)。
【特許文献１】特開平７−２４１１０号公報
【発明の開示】
【発明が解決しようとする課題】
【０００５】
前記遊技盤を構成する前記基材は、薄板を幾重にも重ね合わせた合板で形成されるため、個々の遊技盤の厚みサイズには若干の固体差があり、前記遊技盤保持枠に遊技盤を収容セットした際に、前記金属片と金属板との間に隙間を生ずることがある。このような場合、遊技盤の固定保持が不安定になって、遊技盤と遊技盤保持枠との導通状態が途絶える場合があり、遊技盤の静電気除去対策が実現されなくなるばかりか、該金属片と金属板との間で放電を生ずるおそれもある。また、遊技盤の交換作業が頻繁に行なわれると、前記金属片と金属板とのスライドによる摩擦によって金属板の表面が削れてしまうことがある。このように導電面が削れてしまうと、金属片と金属板との間の導電値(抵抗値)が、遊技機開発者が想定していた値とは異なるものとなってしまい、確実な静電気除去対策が図れなくなる問題を招いてしまう。
【０００６】
すなわち本発明は、前述した従来の技術に内在している前記課題に鑑み、これを好適に解決するべく提案されたものであって、遊技盤の交換作業が簡単で、かつ確実な静電気除去対策を図り得る遊技機を提供することを目的とする。
【課題を解決するための手段】
【０００７】
前記課題を克服し、所期の目的を好適に達成するため、本発明に係る遊技機は、
遊技盤保持枠(12)に形成した収容部(14)に対して遊技盤(C)を着脱自在にセット可能とした遊技機において、
前記遊技盤(C)の外面所定位置に配設され、該遊技盤(C)に配設された各種遊技部材(17)と電気的に接続する導電板(21)と、
前記収容部(14)に設けられ、該収容部(14)に収容された遊技盤(C)を保持すると共に、前記導電板(21)に面接触する導電性を有する保持面(25)を備えた保持手段(15)と、
前記保持面(25)を導電板(21)に対する接触方向へ向けて付勢する付勢手段(29)とからなり、
前記保持面(25)はアース部(H)に電気的に接続されていることを特徴とする。
【０００８】
また前記保持手段(15)に関しては、前記遊技盤保持枠(12)の収容部(14)に回動自在にヒンジ接続された保持部材(23)に前記保持面(25)が設けられ、該保持部材(23)が、前記付勢手段(29)により前記保持面(25)が遊技盤(C)の導電板(21)に接触する方向に向けて回動付勢される構成が採用できる。
【０００９】
更に前記保持手段(15)は、前記遊技盤保持枠(12)における収容部(14)の内側面(12b)に配設されて、前記保持面(25)と電気的に接続される固定部材(22)を備え、該固定部材(22)の配設位置に対応する遊技盤保持枠(12)の外側面に、前記アース部(H)に電気的に接続する導電部材(30)を配設し、前記遊技盤保持枠(12)を挟む固定部材(22)と導電部材(30)とを、導電性を有する連結具(24)により電気的に接続するよう連結固定するようにしてもよい。
【発明の効果】
【００１０】
本発明に係る請求項１の遊技機によれば、遊技盤保持枠に配設した保持手段を介して該保持枠と遊技盤とを電気的に接続するよう構成したから、遊技盤の交換作業に際してアース線の着脱作業を行なう必要はなく、作業効率を向上し得ると共に、断線により静電気除去ができなくなる事態が発生することもない。また保持手段の保持面を、付勢手段により遊技盤の導電板に対する接触方向に向けて付勢するよう構成したから、例えば遊技盤のサイズが小さい場合であっても、保持面を常に導電板に接触させることができ、遊技盤の確実な静電気除去対策が実現される。更に、導電板に保持面を面触接させるよう構成したから、充分な導通面を確保することができると共に、遊技盤の安定した保持が図られる。更にまた、保持手段は、遊技盤を遊技盤保持枠に保持する手段を兼ねているから、保持手段により遊技盤を保持している状態では、遊技盤保持枠と遊技盤とを確実に導通状態に保持することができる。
【００１１】
請求項２の遊技機によれば、保持面が設けられた保持部材を回動自在に構成したので、製造時または組付け時の誤差等によって、仮に遊技盤が収容部内で傾いている場合であっても、その傾きに応じて保持部材が回動することで、保持面と導電板とを確実に面接触させることができ、確実な静電気除去が図られる。また請求項３の遊技機によれば、アース部に接続する導電部材と保持手段の固定部材とを連結具により電気的に接続するよう構成したから、保持手段と導電部材とをアース線を用いることなく導通状態とすることができ、アース線を用いることによる不具合の発生をなくすことができる。
【実施例】
【００１２】
次に、本発明に係る遊技機につき、好適な実施例を挙げて、添付図面を参照して以下に説明する。なお、実施例では、遊技機として、中枠の窓枠口内部にパチンコ球用の遊技盤がセットされた一般的なパチンコ機の場合について説明する。
【００１３】
(パチンコ機の概略構成)
実施例のパチンコ機Ｐは、その基本的構成の概要として図２または図３に略示するように、縦長方形の外郭をなす外枠Ａの開口前面側に、各種の遊技盤用構成部材をセットする縦長方形の中枠Ｂが連結支持手段および施錠手段を利用して開閉および着脱が可能に組付けられている。そしてこの中枠Ｂの前面側に、遊技盤Ｃの透視保護窓である図示しないガラス扉を備えた前枠と、上の球受け皿Ｄとが個々の連結支持手段等を利用して共に横開き形態で開閉可能に組付け整合される一方、中枠Ｂの下部には下の球受け皿Ｅおよび打球発射装置における打球操作部Ｆ等が装着セットされ、また中枠Ｂの裏側に各種の球経路および球処理・払出部等を備えた機構セット盤Ｇがセットされている。なお、この機構セット盤Ｇには、外部電源および外部アースに接続されるアース部としての電源基板Ｈが配設され、該電源基板Ｈに後述する保持具１５が電気的に接続されるよう構成される。
【００１４】
(中枠)
前記中枠Ｂは、例えば全体が合成樹脂成形されたものが採用され、前記外枠Ａの開口前面域に整合する外形サイズに成形されて内側に正面縦長方形の窓枠口(窓口)１１を開口した枠体１０と、この枠体１０の裏側に一体成形された遊技盤保持枠としてのセット保持枠１２とが、前後に連設された内外二重枠形態とされている。また前記窓枠口１１は、前面側から出し入れ(着脱)される遊技盤Ｃのセット面域および出し入れ口ともされ、その下部開口面域内に上の球受け皿Ｄを開閉可能に組付けセットし得るようになっている。
【００１５】
(セット保持枠)
前記セット保持枠１２は、前記枠体１０における窓枠口１１の開口前面の３周縁(上縁および左右の側縁)から後方に所定長さで延在する側壁面(内側面)１２ｂと、該側壁面１２ｂの後端から内方に向けて直角に延出する遊技盤支持面１２ａおよび窓枠口１１の下部内側において前記上の球受け皿Ｄに整合する位置に一体成形された遊技補助盤の上端面とから構成され、これら遊技盤支持面１２ａ、側壁面１２ｂおよび遊技補助盤の上端面により内部画成された収容部１４に、前記遊技盤Ｃが着脱自在に収容セットされるようになっている。すなわち、前記遊技盤Ｃは、その下面が遊技補助盤の上端縁に載置された状態で、背面が遊技盤支持面１２ａに当接すると共に、側面を該遊技盤支持面１２ａと交差する側壁面１２ｂに整合した状態で収容部１４に収容される。なお、遊技補助盤の上端縁を基準にして、前記窓枠口１１の正面内部に臨む遊技盤用のセット口１３(側壁面１２ｂにより画成される口)が開口され、遊技盤Ｃは、窓枠口１１およびセット口１３を介して収容部１４に収容されるよう構成される。
【００１６】
前記セット保持枠１２における一方(実施例では左側)の側壁面１２ｂには、前記遊技盤Ｃの一側縁部を保持する２個(１個あるいは３個以上であってもよい)の保持具１５が配設され、対向する他方(右側)の側壁面１２ｂ側の遊技盤支持面１２ａには、該遊技盤Ｃの他側縁部を固定支持する複数(２個)の固定装置１６が設けられている。そして、収容部１４内に収容された遊技盤Ｃは、一方の側端部を保持具１５で保持すると共に、他方の側端部を固定装置１６で固定支持することで、該遊技盤Ｃは収容部１４内に着脱自在にセットされる。
【００１７】
(遊技盤)
前記遊技盤Ｃは、前記セット保持枠１２における前記セット口１３内に適合する略正方形に成形されており、図５に示すように、その前面に取付けられた略円形状の案内レール１７内に各種の図柄表示装置Ｉや入賞装置Ｊ等の遊技部材を配置して所要のゲームを展開し得る遊技領域１８が構成されている。なお、遊技部材として機能する前記案内レール１７は、図１に示す如く、該レール１７に一体的に形成された複数のピン１７ａが、遊技盤Ｃに穿設されたピン孔１９に挿通されて位置決めされ、該ピン１７ａの先端部に形成されたネジ孔に遊技盤裏面からネジ２０を螺挿することで固定される。また遊技盤Ｃの裏側には、前記保持具１５(実施例では下側に位置する１個の保持具１５)による保持位置に対応して金属性の導電板２１が配設され、前記案内レール１７を固定するための一部のピン１７ａは、該導電板２１に挿通されたネジ２０を介して固定されるようになっている。
【００１８】
前記導電板２１は、図５〜図７に示す如く、遊技盤Ｃの裏面に面接触する第１面部２１ａと、該第１面部２１ａに対して直角に折曲形成されて、遊技盤Ｃの一方の側端面に面接触する第２面部２１ｂとから構成される。第１面部２１ａには、遊技盤Ｃにおける保持位置に近接する複数(実施例では２つ)のピン孔１９と対応する位置に前記ネジ２０の挿通を許容する通孔２１ｃが夫々穿設され、遊技盤Ｃのピン孔１９に前側から挿通されたピン１７ａのネジ孔に、導電板２１の裏側から通孔２１ｃに挿通したネジ２０を螺挿してある。すなわち、金属製の案内レール１７と導電板２１とは、金属製のピン１７ａおよび導電板２１に頭部が接触する金属製のネジ２０を介して電気的に接続されるようになっている。なお、図示しないが、遊技盤Ｃの遊技領域１８に配設される前述した図柄表示装置Ｉや入賞装置Ｊ等の各種の遊技部材は、遊技盤Ｃの裏側において、前記導電板２１に案内レール１７を接続する前記ネジ２０にアース線等の接続手段を介して接続され、これによって遊技盤Ｃに配設される各種遊技部材は、導電板２１に電気的に接続するよう構成してある。
【００１９】
(保持具)
次に、前記セット保持枠１２に配設される保持手段としての保持具１５の具体的な構成につき説明する。図８または図９に示すように、前記保持具１５は、金属製の導電性を有する部材であって、前記セット保持枠１２の側壁面１２ｂに取付けられる固定部材２２と、この固定部材２２に回動自在にヒンジ接続した保持部材２３とから構成されている。前記保持具１５は、前記セット保持枠１２の一方の側壁面１２ｂに、上下方向に所要間隔離間した２箇所に設けられると共に、夫々が窓枠口１１の上部または下部に近接する部位に配設されている。すなわち、前記遊技盤Ｃを取付けた際に、該遊技盤Ｃの遊技領域１８に干渉しない部位に設けてある(図２参照)。
【００２０】
(固定部材)
前記固定部材２２は、図８に示すように、矩形状の板状体における両端縁を同一方向に折曲したコの字状に形成され、対向する両端縁の折曲部２２ａ,２２ａには、保持部材２３を枢支する後述する支軸２７の挿通を許容する軸孔２２ｂ,２２ｂが同一軸線上に夫々開設されている。また固定部材２２において、対向する前記折曲部２２ａ,２２ａに挟まれた中間部位には、当該固定部材２２を前記セット保持枠１２の側壁面１２ｂに固定する連結具としての金属製のビス２４が螺挿される所要数(実施例では２箇所)のビス孔２２ｃが螺設される。なお、前記セット保持枠１２の側壁面１２ｂにおける保持具１５の取付け位置には、左右方向(内外方向)に貫通する貫通孔１２ｃ,１２ｃ(図１,図１０参照)がビス孔２２ｃ,２２ｃと対応するよう穿設されている。そして、側壁面１２ｂに中間部位を当接させて折曲部２２ａ,２２ａを前記セット口１３の内方に向けて延在させると共に、該折曲部２２ａ,２２ａが上下の関係で位置するよう配置された固定部材２２は、該側壁面１２ｂの外側に配置されている後述する金属補強板３０の各通孔３０ｃおよび貫通孔１２ｃに外側から挿通した前記ビス２４を対応するビス孔２２ｃに螺挿することで配設固定されるよう構成される。
【００２１】
(保持部材)
前記保持部材２３は、矩形状の板状体における略中間部位を略９０度で折曲してＬ字状に形成し、その内方に臨む面がＬ字状に交差する第１規制面(保持面)２５と第２規制面２６となっている。保持部材２３における第１規制面２５と第２規制面２６とが交差する線と直交する両端縁には、外方に延出した一対のヒンジ片２３ａ,２３ａが一体的に折曲形成され、該ヒンジ片２３ａ,２３ａに支軸２７の挿通を許容する通孔２３ｂ,２３ｂが同一軸線上に開設されている。また前記第１規制面２５の延出寸法は、前記遊技盤Ｃの厚さより短尺になるよう設定してある。これに対し、第２規制面２６の延出寸法および前記保持部材２３の長さ寸法(両ヒンジ片２３ａ,２３ａの離間方向に沿う方向の寸法)は、前記遊技盤Ｃの遊技領域１８に干渉せず、かつ該遊技盤Ｃの側端部を有効に挟持し得る所要の寸法に設定されている。更に、前記保持部材２３の第２規制面２６における前記セット口１３の内方に臨む端縁２６ａは、外方(前面側)に向けて折曲形成してある。
【００２２】
(支軸)
前記固定部材２２における折曲部２２ａ,２２ａを挟持するように位置決めした前記ヒンジ片２３ａ,２３ａの通孔２３ｂ,２３ｂと、該折曲部２２ａ,２２ａの軸孔２２ｂ,２２ｂを整合させた状態で支軸２７が挿通され、該固定部材２２に対して保持部材２３が回動可能に配設されている。前記支軸２７は、前記通孔２３ｂおよび軸孔２２ｂに挿通可能な寸法に設定された円柱状の部材であって、その一方の軸端には、前記通孔２３ｂおよび軸孔２２ｂより大径に設定された大径頭部２７ａが形成されている。そして、前記両孔２２ｂ,２３ｂに挿通された支軸２７は、大径頭部２７ａが一方のヒンジ片２３ａで位置規制されると共に、他方のヒンジ片２３ａから突き出た他方の軸端に係止片２８を嵌合することで軸方向の移動が規制される。なお、固定部材２２に対して支軸２７を介して回動可能に軸支された保持部材２３は、各ヒンジ片２３ａと折曲部２２ａおよび支軸２７が相互に接触することで、電気的に接続されている。
【００２３】
(付勢手段)
前記保持部材２３は、付勢手段２９により、常には前記第２規制面２６が前記セット保持枠１２の遊技盤支持面１２ａから離間する方向に向けて付勢されると共に、第１規制面２５も側壁面１２ｂから離間するよう構成されている。すなわち、後述するように遊技盤Ｃを保持具１５で保持した際には、付勢手段２９により第１規制面２５が、遊技盤Ｃの一方の側端面あるいは前記導電板２１における第２面部２１ｂに接触する方向に向けて付勢されるようになっている。前記付勢手段２９は、前記固定部材２２と保持部材２３との間に介挿された所要の弾力性を有する弾性部材であって、図８に示すように、実施例では前記支軸２７に外挿されたコイルバネを採用してある。なお、付勢手段２９としては、コイルバネに限らず、所要の弾力性を有するものであれば、例えば板バネ等の他の弾性部材を採用し得る。
【００２４】
図１,図２または図４に示すように、前記保持具１５は、前記支軸２７が上下方向に延在するように配設され、前記保持部材２３が前記付勢手段２９により、常には前記第２規制面２６がセット保持枠１２の遊技盤支持面１２ａから離間する方向に向けて付勢され、該保持部材２３を後方(セット保持枠１２の遊技盤支持面１２ａ側)に向けて回動するのに伴い、該第２規制面２６が遊技盤支持面１２ａに対向する位置に変移するようになっている。これに対し、前記付勢手段２９により前面側(パチンコ機Ｐの前側)に前記第１規制面２５が常には臨み、前記保持部材２３を後方に回動するのに伴い、該第１規制面２５がセット口１３の内方に臨む位置(側壁面１２ｂに対向する位置)に変移するようになっている。そして、前記保持部材２３は、通常使用状態(セット保持枠１２に遊技盤Ｃをセットした状態)では、前記第１規制面２５が、遊技盤Ｃの側端面あるいは前記導電板２１の第２面部２１ｂに面接触して前記セット保持枠１２の側壁面１２ｂと対向して延在すると共に、第２規制面２６は遊技盤Ｃの盤面を保持しつつ遊技盤支持面１２ａと対向している。なお、対向した前記第２規制面２６と遊技盤支持面１２ａとの間隔は、前記遊技盤Ｃの厚さと略同一寸法か、僅かに短くなるよう設定され、両者２６,１２ａの間で遊技盤Ｃを確実に挟持し得るようにしてある。
【００２５】
（金属補強板）
前記中枠Ｂにおける前記保持具１５が配設される側の外側面には、補強用の金属補強板(導電部材)３０が、上下方向の略全長に亘って延在するよう配設される。この金属補強板３０は、図１に示す如く、中枠Ｂにおける枠体１０の裏面に当接する第１面３０ａと、前記セット保持枠１２における保持具１５の配設位置に対応する側壁面１２ｂの外側に当接する第２面３０ｂとから略Ｌ字状に折り曲げ形成されている。前記第２面３０ｂには、該第２面３０ｂを前記側壁面１２ｂの外側に当接した状態で、該側壁面１２ｂに穿設した前記各貫通孔１２ｃと整列する位置に通孔３０ｃが穿設されている(図１０参照)。そして、前記金属補強板３０における前記第２面３０ｂの外側から前記各通孔３０ｃに挿通したビス２４を、前記貫通孔１２ｃに挿通し、前記保持具１５に形成した前記ビス孔２２ｃに夫々螺挿することで、該保持具１５が金属補強板３０に電気的に接続された状態で連結固定される。
【００２６】
なお、前記金属補強板３０における前記通孔３０ｃが螺設される位置と対応する部位には、セット保持枠１２における遊技盤支持面１２ａの外側(裏側)に沿って折曲形成された折曲片３０ｄが夫々形成されている。そして、この折曲片３０ｄが、前記機構セット盤Ｇに設けられた前記電源基板Ｈに、アース線等の適宜の接続手段によって電気的に接続されている。実施例では、機構セットＧを中枠Ｂに配設した際に前記金属補強板３０の上側に位置する折曲片３０ｄに接触する板金３１が該機構セット盤Ｇに配設されており、該板金３１がアース線３２を介して電源基板Ｈに接続してある(図３参照)。
【００２７】
〔実施例の作用〕
次に、実施例に係るパチンコ機Ｐの作用について説明する。先ず、前記中枠Ｂに対する保持具１５の取付け態様について説明する。図１０に示すように、前記固定部材２２に対して支軸２７を介して保持部材２３を回動自在に軸支した各保持具１５を、該固定部材２２における前記折曲部２２ａ,２２ａを前記セット口１３の内方に向けて延在させた姿勢で、両折曲部２２ａ,２２ａに挟まれた中間部位を前記セット保持枠１２における対応する取付け位置の側壁面１２ｂに当接させると共に、該中間部位に螺設したビス孔２２ｃ,２２ｃを側壁面１２ｂの貫通孔１２ｃ,１２ｃに整列させるよう位置決めする。また中枠Ｂの外側面において、前記金属補強板３０の第１面３０ａを中枠Ｂにおける枠体１０の裏面に当接すると共に、前記第２面３０ｂを前記セット保持枠１２における側壁面１２ｂの外側に当接し、該第２面３０ｂに穿設されている通孔３０ｃ,３０ｃを前記貫通孔１２ｃ,１２ｃに整列させるよう位置決めする。そして、図１に示す如く、金属補強板３０の各通孔３０ｃに挿通したビス２４を、前記側壁面１２ｂの貫通孔１２ｃに挿通して、前記固定部材２２の対応するビス孔２２ｃに夫々螺挿することで、各保持具１５がセット保持枠１２に夫々ネジ止め固定される。
【００２８】
このように各保持具１５は、セット保持枠１２の側壁面１２ｂを挟んで金属補強板３０にネジ止めされるから、該保持具１５は側壁面１２ｂに強固に固定される。すなわち、合成樹脂製のセット保持枠１２にネジ孔等を設ける必要はないから、該ネジ孔が損傷することで保持具１５の固定状態が不安定となるのは防止される。また、上下２個の保持具１５,１５をセット保持枠１２に固定した状態においては、前記金属補強板３０と各保持具１５の固定部材２２とが、金属製のビス２４により電気的に接続される。なお、保持具１５を構成する前記保持部材２３は、固定部材２２に対して前記支軸２７やヒンジ片２３ａおよび折曲部２２ａを介して電気的に接続されているから、当該保持部材２３も金属補強板３０に対して電気的に接続された状態となる。
【００２９】
前記２個の保持具１５,１５が配設された中枠Ｂにおける裏側の所定位置には、前記機構セット盤Ｇが取付けられる。このとき、該機構セット盤Ｇに配設されている前記板金３１が、前記金属補強板３０における上側の折曲片３０ｄに当接して、該金属補強板３０と板金３１とが電気的に接続された状態となる。前述した如く、機構セット盤Ｇの板金３１は、図３に示す如く、前記電源基板Ｈにアース線３２を介して接続されており、従って、前記２個の保持具１５,１５は、何れも金属補強板３１を介して電源基板Ｈに電気的に接続される。
【００３０】
次に、前記セット保持枠１２の収容部１４に対する遊技盤Ｃの着脱態様につき説明する。前述したようにセット保持枠１２における一方の側壁面１２ｂに配設された各保持具１５においては、図４に二点鎖線で示す如く、前記固定部材２２に対して回動自在に軸支された保持部材２３は、遊技盤Ｃの挿入方向である前面側に向けて前記付勢手段２９により付勢されて、その第２規制面２６と遊技盤支持面１２ａとの間が広く開放されると共に、第１規制面２５が前面側に臨んでいる。この状態で、前記セット口１３の下部(遊技補助盤の上端縁)に載置した遊技盤Ｃの一方の側端部を、前記保持具１５における保持部材２３の第２規制面２６と、前記セット保持枠１２の遊技盤支持面１２ａとの間に開放された空間より挿入する。そして、前記保持部材２３の第１規制面２５に遊技盤Ｃの側端面を当接させ、該遊技盤Ｃを後方(セット保持枠１２の遊技盤支持面１２ａ側)に保持具１５を支点として回動させるにつれて、該保持部材２３は前記支軸２７を支点として回動する。そして、前記遊技盤Ｃの背面に、前記セット保持枠１２の遊技盤支持面１２ａが当接することで、その回動が規制されると共に、該遊技盤支持面１２ａと第２規制面２６とで、該遊技盤Ｃの一方の側端部が挟持された状態で保持され、遊技盤Ｃ全体は収容部１４に収容される。更に、前記遊技盤Ｃの他方の側端部を、セット保持枠１２の他方の遊技盤支持面１２ａに配設されている前記固定装置１６で固定支持することで、該遊技盤Ｃは収容部１４内にセットされる。
【００３１】
前記保持具１５の保持部材２３は、前記セット保持枠１２の側壁面１２ｂに固定された固定部材２２に対して回動自在に取付けられているため、該保持部材２３のＬ字状に交差する第１規制面２５および第２規制面２６を、遊技盤Ｃの挿入側である前面側に向くように回動することで、第２規制面２６とセット保持枠１２の遊技盤支持面１２ａとの間に広い遊技盤Ｃの挿入スペースを画成することができる。このように、前記遊技盤Ｃの挿入スペースが広くなることで、遊技盤Ｃの取付けに際し、保持具１５に対する遊技盤Ｃの位置決めが容易になると共に、遊技盤Ｃが保持具１５の保持部材２３と摺擦することによる傷付きの可能性が低減される。そして、前記挿入スペースから挿入した遊技盤Ｃの側端面を第１規制面２５に当接したもとで、該遊技盤Ｃをセット保持枠１２側に回動することで保持部材２３も一体的に回動し、該遊技盤Ｃはセット保持枠１２の遊技盤支持面１２ａに当接することで回動が規制され、該支持面１２ａと第２規制面２６とで該遊技盤Ｃの側端部が挟持される。すなわち、前記遊技盤Ｃは、前記保持具１５の第１規制面２５に側端面を当接した状態で回動することで、収容部１４に収容されるため、該遊技盤Ｃの位置決めの手間を軽減することができる。また、前記保持部材２３の第２規制面２６とセット保持枠１２の遊技盤支持面１２ａとで遊技盤Ｃの側端部を挟持する構成であるので、第２規制面２６を遊技盤Ｃの側端部の全面に亘って当接する寸法とする必要は無く、保持具１５を小型化し得ると共に、軽量化を図ることができる。そして、前記保持具１５の小型化により、前記遊技領域１８を画成する前記略円形状の案内レール１７を大きくしても、該案内レール１７と干渉しない位置(上下部)に保持具１５を配設することができ、遊技領域１８を広くし得る。
【００３２】
前記遊技盤Ｃの取付けに際し、前記保持部材２３は、前記付勢手段２９により第２規制面２６がセット保持枠１２における遊技盤支持面１２ａから離間する状態に付勢されているから、第２規制面２６とセット保持枠１２の遊技盤支持面１２ａとの間に広い遊技盤Ｃの挿入スペースを開放し得ると共に、第１規制面２５が前面に臨む状態となるので、前記保持具１５に対して、遊技盤Ｃの挿入および位置決めをより容易に行なうことができ、遊技盤Ｃの傷付きの可能性もより低減される。
【００３３】
また、前記保持部材２３における第２規制面２６の端縁２６ａが、外方、すなわちセット保持枠１２の遊技盤支持面１２ａから離間する側に折曲形成されているため、挿入スペースが拡大して、遊技盤Ｃの取付け作業を更に容易に行ない得る利点がある。また、前記遊技盤Ｃを挿入スペースに挿入するに際し、第２規制面２６の端縁２６ａが遊技盤Ｃの端面に当たって傷付くのは抑制される。
【００３４】
前記保持具１５および固定装置１６を介してセット保持枠１２の収容部１４に収容セットされた遊技盤Ｃにおいて、下側の保持具１５による保持位置に対応して配設されている前記導電板２１の第２面部２１ｂは、図１に示す如く、保持具１５における保持部材２３の第１規制面２５に面接触している。また、この導電板２１の第１面部２１ａには、前記案内レール１７がピン１７ａおよびネジ２０を介して電気的に接続されると共に、図示しないアース線を介して遊技盤Ｃに配設されている他の遊技部材とも電気的に接続される。すなわち、遊技盤Ｃを収容部１４に収容セットするだけで、該遊技盤Ｃに配設されている各種の遊技部材は、導電板２１、保持具１５および金属補強板３０を介して電源基板Ｈに電気的に接続され、好適な静電気除去対策が施される。従って、遊技盤Ｃとセット保持枠１２とをアース線を介して接続する必要はなく、該遊技盤Ｃの着脱作業は容易となる。なお、遊技盤Ｃに対して導電板２１は、盤裏面および側面にのみ位置しているから、遊技者側から見えてしまうことはなく、見栄えが低下することはない。
【００３５】
また、前記保持具１５の第１規制面２５は、前述した如く付勢手段２９により常に導電板２１の第２面部２１ｂに接触する方向に向けて付勢されているから、仮に遊技盤Ｃの厚み寸法が、対向した前記第２規制面２６と遊技盤支持面１２ａとの間隔より小さい場合であっても、付勢手段２９の付勢力によって前記保持部材２３が回動することで、第１規制面２５は第２面部２１ｂに確実に接触し、保持具１５と遊技盤Ｃとの電気的な接続状態は好適に維持される。しかも、遊技盤Ｃの着脱作業に際して導電板２１の第２面部２１ｂと保持具１５の第１規制面２５とが擦れることはなく、両者２５,２１ｂの接触面が削れて導電値が変動することもなく、確実な静電気除去対策を図り得る。
【００３６】
更に、前記保持具１５の第１規制面２５と導電板２１の第２面部２１ｂとは面接触するよう構成してあるから、線接触または点接触の場合に比べて、遊技盤Ｃで発生した多量の静電気をすばやく電源基板Ｈに逃すことができる。また、前述したように保持具１５の第１規制面２５は付勢手段２９により常に導電板２１の第２面部２１ｂに接触する方向に向けて付勢されているから、遊技盤Ｃを頻繁に交換することで仮に保持部材２３が変形したとしても、付勢手段２９の付勢力によって第１規制面２５が導電板２１の第２面部２１ｂに接触するよう変移するから、保持具１５と遊技盤Ｃとの電気的な接続状態は確保される。
【００３７】
〔変更例〕
本願は、前述した実施例の構成に限定されるものでなく、その他の構成を適宜に採用することができる。
１．実施例では、遊技盤を中枠のセット保持枠に対して前面側から着脱するよう構成したタイプについて説明したが、外枠から開放された中枠に対して裏側の機構セット盤を開放または取外したもとで、セット保持枠に裏面側から着脱するよう構成したタイプであってもよい。
２．実施例では、セット保持枠における側壁面に配設された１個(下側)の保持具に電気的に接続する１枚の導電板を遊技盤に配設した構成としたが、各保持具に対応する位置に導電板を夫々配設するようにしてもよい。
３．保持具の配設位置は、実施例のようにセット保持枠の左側に限定されるものでなく、右側、上側あるいは下側であってもよい。なお、セット保持枠の下側に実施例と同様の構成に係る保持具を配設した場合は、該保持具に保持される遊技盤は、その自重によって導電板の第２面部が保持部材の第１規制面に押付けられるから、電気的な接続状態を確保することができる。また固定装置に関しては、保持具の配設位置に対向する側に配設されればよい。
４．実施例では、遊技盤に配設される各種遊技部材をピンやアース線等を介して導電板に電気的に接続する場合で説明したが、該遊技盤を、カーボン紙等の導電シートを用いた積層構造として、遊技盤の前面に配設された案内レールや入賞装置等の各種遊技部材を導電シートに電気的に接続すると共に、該導電シートを導電板に電気的に接続する構成を採用し得る。また、導電板に電気的に接続する金属板を遊技盤の裏面に配設し、遊技盤の前面に配設された各種遊技部材を該金属板に電気的に接続する構成であってもよい。
５．実施例では、付勢手段により保持部材を回動付勢して第１規制面を導電板の第２面部に接触させるよう構成したが、第１規制面を導電板の第２面部に対して直線的に進退移動可能に構成し、該第１規制面を付勢手段により第２面部に近接する方向に常に直線的に付勢するようにしてもよい。
６．実施例では、導電板、保持具および金属補強板を、導電性を有する金属製として説明したが、強度が充分に得られるものであれば、導電性を有する樹脂製とすることもできる。
【００３８】
〔付記〕
本発明に係る遊技機における保持手段に関しては、以下に示す具体的構成に限定することが可能である。
【００３９】
前記保持手段は、前記遊技盤保持枠における遊技盤支持面と交差する側壁面に取付けられる固定部材と、この固定部材に回動自在にヒンジ接続した保持部材とからなり、
前記保持部材は、Ｌ字状に交差する第１規制面と第２規制面とを備え、
前記遊技盤の一方の側端面を前記保持部材の第１規制面に押し当てた状態で、該遊技盤を前記遊技盤保持枠に向けて回動させることで、該遊技盤の端部を前記第２規制面と該遊技盤保持枠の遊技盤支持面とで挟持し得るよう構成する。
【００４０】
そして、このように限定した保持手段によれば、前記保持部材は、遊技盤保持枠に対して回動自在に取付けられているため、保持手段と遊技盤保持枠の遊技盤支持面との間に広い挿入スペースを画成することができる。従って、保持手段に対する遊技盤の位置決めが容易になると共に、遊技盤が保持手段と摺擦することによる傷付きの可能性が低減される。また、前記挿入スペースに挿入した遊技盤の一方の側端面を第１規制面に当接したもとで、該遊技盤を遊技盤保持枠側に回動することで保持部材も一体的に回動し、該遊技盤は遊技盤保持枠の遊技盤支持面に当接することで回動が規制され、該支持面と第２規制面とで該遊技盤の端部が挟持されるため、遊技盤を容易に位置決めおよび取付けすることができる。そして、前記保持部材の第２規制面と遊技盤保持枠の遊技盤支持面とで遊技盤の端部を挟持する構成であるので、第２規制面を遊技盤の端部の全面に亘って当接する寸法とする必要は無く、保持具を小型化することができる。
【図面の簡単な説明】
【００４１】
【図１】本発明の好適な実施例に係るパチンコ機における保持具の配設位置を示す要部横断平面図である。
【図２】実施例に係るパチンコ機を、遊技盤および前枠を取外した状態で示す概略正面図である。
【図３】実施例に係るパチンコ機を示す背面図である。
【図４】実施例に係るパチンコ機を示す横断平面図である。
【図５】実施例に係る遊技盤を示す概略正面図である。
【図６】実施例に係る導電板を示す正面図である。
【図７】実施例に係る導電板を示す底面図である。
【図８】実施例に係る保持具を示す概略斜視図である。
【図９】実施例に係る保持具を示す平面図である。
【図１０】実施例に係るセット保持枠から保持具および金属補強板を分解した状態で示す要部概略斜視図である。
【符号の説明】
【００４２】
１２  セット保持枠(遊技盤保持枠)
１２ｂ  側壁面(内側面)
１４  収容部
１５  保持具(保持手段)
１７  案内レール(遊技部材)
２１  導電板
２２  固定部材
２３  保持部材
２４  ビス(連結具)
２５  第１規制面(保持面)
２９  付勢手段
３０  金属補強板(導電部材)
Ｃ  遊技盤
Ｈ  電源基板(アース部)
【図１】
2005080701.tif 000003
【図２】
2005080701.tif 000004
【図３】
2005080701.tif 000005
【図４】
2005080701.tif 000006
【図５】
2005080701.tif 000007
【図６】
2005080701.tif 000008
【図７】
2005080701.tif 000009
【図８】
2005080701.tif 000010
【図９】
2005080701.tif 000011
【図１０】
2005080701.tif 000012